(57)【要約】      （修正有）【課題】一般的な環境槽を用いてプッシュスイッチ耐久試験を行う事ができるとともに、容易に運搬、設置する事が可能となる環境槽用プッシュスイッチ開閉耐久試験機を提供する。【解決手段】環境槽外においてプッシュスイッチを押し引きするモーター駆動の試験部と環境槽内にてプッシュスイッチを押し引きする試験部とを分離し、環境槽内の試験部と外部のモーター駆動部をワイヤーにて連結する。また環境槽内の試験部駆動部分である試験部押板には適切な力を持ったバネを取り付け、ワイヤーにて接続された環境槽内試験部の駆動部分の試験部押板が引っ張られ、戻りとして緩められた場合、環境槽内試験部の駆動部分である試験部押板をバネの戻り力にて戻すことをして環境槽内駆動部の試験部押板の押し引きを行う。【選択図】図２
0003161993.tif 000002
【実用新案登録請求の範囲】
【請求項１】
モーター駆動を行うプッシュスイッチ開閉耐久試験機の引き駆動力を、曲げ自由度が高いワイヤーを介して特殊環境を実現する環境槽内の試験機の駆動力として利用する。また引き駆動力に対しての戻りに関しては戻り用バネの戻り力を利用する事を特徴とするプッシュスイッチ開閉耐久試験機。
【請求項２】
前記の試験機において、環境槽内の試験機自体の駆動部分は動力部を持たないため持ち運びを簡単に行えるプッシュスイッチ耐久試験機に必要最低限のサイズとできる。そのため耐久試験のための特別な環境槽を必要としない事を特徴とする請求項１記載のプッシュスイッチ開閉耐久試験機。
【考案の詳細な説明】
【技術分野】
【０００１】
本考案は、環境槽用プッシュスイッチの開閉耐久試験機の形状、並びに性能に関するものである。
【背景技術】
【０００２】
近年、スイッチに関する耐久試験に関して室温以外での雰囲気温度による試験が一般的になりつつある。特に自動車関係のスイッチは自動車自体の運転装置の電子化に伴い常温雰囲気温度以外での耐摩耗性の観点やスイッチ接点の雰囲気温度による電流抵抗値の変化等の影響を受けることが顕著となるため、外界から独立した内部温度（湿度）を調整可能な環境槽にスイッチ自体を入れての試験が必ず行われることとなる。
【０００３】
これに関して従来のスイッチ耐久試験機はモーター及びその制御ユニット等を備える耐久試験駆動部を含む試験機全体を環境槽内に入れて試験を行ったり、もしくはモーター及びその制御ユニットと機械的に複雑な機構をもつ耐久試験駆動部を分離作成し、耐久試験駆動部のみを環境槽にいれて試験を行ったりしている。
【先行技術文献】
【特許文献】
【０００４】
【特許文献１】特開２００３−６５９２３号公報
【考案の概要】
【考案が解決しようとする課題】
【０００５】
試験機全体を環境槽に入れて試験を行う際には、試験機全体を収納できる大きな環境槽が必要となる。また、試験機の駆動部分を対熱、耐湿構造にする必要があり、試験機コストが非常に高くなる。また特開２００３−６５９２３号公報にあるような駆動部と試験部をシャフトによって連結して駆動部の動力を試験部に伝達して使用し各種試験を行う場合、試験機全体を環境槽に入れる必要がなく大きな環境槽が必要となる問題点は解決できるが、特開２００３−６５９２３号公報の発明にあるように、環境槽外部にシャフトを通じて連結させ試験部を駆動させる場合、シャフト穴に対してシャフトの回転等の摩擦によって環境槽の内部環境との遮蔽度が時間とともに減少してしまい環境槽内の試験環境を長時間保つ事が難しくなる。また環境槽内の湿度条件によってはシャフト自体が錆びる事となり、その際も内部環境の遮蔽度が減少していく度合いが試験時間とともに高くなってしまう。シャフト材質を錆びにくい材質に選定して使用した場合、耐久試験機自体のコスト高となる。また環境槽内部の駆動部にシャフト回転を変換駆動させるギヤ等の複雑な機構を使用した場合、環境槽内にて超長期の耐久試験を行った時に、雰囲気温度や湿度によって駆動部自体の耐久性が問題となりえる。また、一本の直線棒状であるシャフトにて駆動部と試験部を連結した場合、駆動部と連結部はなるべく水平を保つ必要があり環境槽の外部口の高さや試験機の設置場所に関しても様々な制約が生じる事となる。
【０００６】
本考案は前記問題点に鑑み一般的な環境槽を用いてスイッチ耐久試験を行うことを可能とし、なおかつ容易に運搬設置できるプッシュスイッチ耐久試験機装置を提供することを目的とする。
【課題を解決するための手段】
【０００７】
以上の課題を解決するために、環境槽外においてプッシュスイッチを押し引きするモーター駆動の試験部と環境槽内にてプッシュスイッチを押し引きする試験部とを分離し、環境槽内の試験部と外部のモーター駆動部を安価なワイヤー（軽車両や自動二輪車に使用されているブレーキワイヤー等）にて連結する。また環境槽内の試験部駆動部分である試験部押板には適切な力を持ったバネを取り付け、ワイヤーにて接続された環境槽内試験部の駆動部分の試験部押板が引っ張られ、戻りとして緩められた場合、環境槽内試験部の駆動部分である試験部押板をバネの戻り力にて戻すことをして環境槽内駆動部の試験部押板の押し引きを行う事を特徴とする。
【考案の効果】
【０００８】
環境槽外部の駆動部に連結しているワイヤーはその特性として、環境槽外にて鋭角に折り曲げられない限り、接続されている環境槽内の試験部押板を引っ張る事が可能である。よってその特性により環境槽の外部口と環境槽外試験機駆動部と環境槽内試験機を厳密に水平に保つ必要が生じない。またワイヤーの長さを調節する事によって環境槽外試験機駆動部と環境槽内試験機の距離も必要に応じて調節する事が可能となるので試験機の設置に関しての自由度が大きい事も特徴とする。
【０００９】
また環境槽外耐久試験の試験機駆動部の動きをワイヤーにて伝える事となるため、環境槽外と環境槽内において同時刻に比較対象試験を行う事が容易となる。
【００１０】
環境槽内試験機は試験部押板の戻りバネしか独自の駆動機構を持たないため構造を簡単にできる。また必要とされる被験スイッチ数によってサイズを決める事が可能となり、必要軽量最小サイズとする事ができる。
【００１１】
本考案によれば、環境槽内駆動試験部の機構が簡素であるため、従来機と比較して必要十分な性能を保持しながら製作コスト的に安価に製作することが可能である。
【００１２】
環境槽内試験機は機構的に簡素であるため、試験機自体が長寿命となり、耐久試験機自体のメンテナンスも容易となる。
【００１３】
従来機のように、環境槽外駆動部と環境槽内試験部をシャフト等でつなぐ場合と比較してワイヤーの場合その径がシャフト等と比べて格段に小さくすることができる。そのため環境槽外部口の経もより小さく設けることが出来、耐久試験時の環境槽内の雰囲気温度の擾乱を少なくする事ができる。
【図面の簡単な説明】
【００１４】
【図１】この考案の一実施形態を示す全体斜視図である。
【図２】この考案の一実施形態を示す全体図である。
【図３】この考案の一実施形態を示す一部詳細図である。
【図４】この考案の一実施形態を示す一部詳細図である。
【図５】この考案の一実施形態を示す一部詳細図である。
【図６】この考案の一実施形態を示す一部詳細図である。
【図７】この考案の一実施形態を示す一部詳細図である。
【符号の説明】
【００１５】
１    環境槽内用プッシュスイッチ耐久試験部本体
２    動力伝達用ワイヤー
２ｂ  動力伝達用ワイヤー先端
３    引き戻しバネ
４    ワイヤー通し
５    ブッシュスイッチ耐久試験機本体駆動部
６    環境槽
７    環境槽外部口密閉蓋
８    駆動押板ロッド部
９    動力伝達用ワイヤー止めネジ
１０  動力伝達用ワイヤーケース
１１  環境槽内試験部押板
１２  動力伝達用ワイヤー試験槽内部用先端
１３  環境槽内用試験部押板
１４  環境槽内用試験部製品支え中
１５  環境槽内用試験部押板支え中
【考案を実施するための形態】
【００１６】
この考案の一実施形態を図１に示す。環境槽内用プッシュスイッチ耐久試験部本体１に設置されている環境槽内用試験部押板１３がそれを支える環境槽内用試験部押板支え中１５に対して引き戻しバネ３にて連結されている。また、環境槽内用試験部押板１３は引き戻しバネ３が連結されている反対側にて動力伝達用ワイヤー２（この図には図示されていない）によってプッシュスイッチ耐久試験機本体駆動部５の駆動押板ロッド部８尾部と連結されている。プッシュスイッチ耐久試験機本体駆動部５の駆動押板ロッド部８がモーター回転駆動によってプッシュスイッチ耐久試験機本体駆動部５側へ引っ張られた場合、動力伝達用ワイヤー２（この図には図示されていない）によって環境槽内用試験部押板１３も同じ側に引っ張られ駆動する事になる。プッシュスイッチ耐久試験機本体駆動部５のモーター回転駆動が引っ張り側から戻り側になった場合は動力伝達用ワイヤー２のテンションは緩む事になるが、環境槽内試験部押板１３が引っ張られた事により、取り付けられている引き戻しバネ３が伸ばされており、動力伝達用ワイヤー２（この図には図示されていない）の引張力がなくなると同時に伸ばされている引き戻しバネ３の引き戻し力によって環境槽内試験部押板１３が引き戻されて元の位置に戻ることになる。すなわち動力伝達用ワイヤー２（この図には図示されていない）が接続されているプッシュスイッチ耐久試験機本体駆動部５の駆動押板ロッド部８の前後の動きの量がそのまま環境槽内用試験部押板１３の前後の動きの量となる。
【００１７】
この考案の一実施形態を示す全体図を図２に示す。環境槽６内部に環境槽内用プッシュスイッチ耐久試験部本体１を収納し、環境槽外部口を動力伝達用ワイヤーケース１０を貫通させた環境槽外部口密閉蓋７にて塞ぐ。動力伝達用ワイヤーケース１０の内部を通る動力伝達用ワイヤー２は環境槽内用プッシュスイッチ耐久試験部本体１とプッシュスイッチ耐久試験機本体駆動部５とに接続された際に鋭角に折れ曲がらない限りは問題が生じにくい。よってプッシュスイッチ耐久試験機本体駆動部５の設置に関してはプッシュスイッチ耐久試験部本体1と接地平面に対して厳密に平行に設置する必要性はない。また動力伝達用ワイヤー２の長さによって環境槽内用プッシュスイッチ耐久試験部本体１とプッシュスイッチ耐久試験機本体駆動部５の距離が決定されるため設置の際の試験機本体と環境槽の距離もより自由に決定できる。
【００１８】
この考案の一実施形態を示す詳細図を図３、図４に示す。モーター駆動のプッシュスイッチ耐久試験機本体駆動部５の駆動押板ロッド部８の尾部に穿たれた穴に動力伝達用ワイヤー先端２ｂを差し込み、動力伝達用ワイヤー止めネジ９二本を駆動押板ロッド部８の尾部に穿たれた穴に対して垂直に貫通しているねじ穴を通じてねじ込み、差し込まれた動力伝達用ワイヤー２を駆動押板ロッド部８の尾部に穿たれた穴の外部上空から穴内壁に押し付けて接続固定する。またその際には動力伝達用ワイヤー２（この図には図示されていない）を駆動押板ロッド部８の尾部に穿たれた穴の最奥上部に貫通された穴まで差し込み、動力伝達用ワイヤー先端２ｂをその穴に通しておくとより強固に接続される。またプッシュスイッチ耐久試験機本体駆動部５に取り付けられているワイヤー通し４の穴に動力伝達用ワイヤーケース１０を通すことによって動力伝達用ワイヤーケース１０は差し込まれている駆動押板ロッド部８の尾部に穿たれた穴と平行の位置に保たれ、動力伝達用ワイヤー２（この図には図示されていない）が引っ張られ、もしくは戻される際に駆動押板ロッド部８の尾部の穴において動力伝達用ワイヤーケース１０が極端に屈曲されて動力伝達用ワイヤー２（この図には図示されていない）と駆動押板ロッド部８の尾部の穴の縁と摩擦されることを防ぐ事となる。
【００１９】
この考案の一実施形態を示す一部詳細図を図５に示す。環境槽内用プッシュスイッチ耐久試験部本体１の駆動部分である環境槽内試験部押板１１に貫通している穴に引き戻し用バネ３を取り付けてある側から動力伝達用ワイヤー先端２ｂを通し、さらに環境槽内用プッシュスイッチ耐久試験部本体１に垂直に立ててある環境槽内用試験部押板支え中１４に設けてある穴を通じて動力伝達用ワイヤーケース１０及び動力伝達用ワイヤーケース１０内に動力伝達用ワイヤー２を通す必要がある。これによって環境槽内試験部押板１１と環境槽内用試験部製品支え中１４の間においては動力伝達用ワイヤー２はプッシュスイッチ耐久試験部本体1の床部に対して平行を保たれる事となる。
【００２０】
この考案の一実施形態を示す詳細図を図６に示す。動力伝達用ワイヤーケース１０の断面図である。動力伝達用ワイヤーケース１０に動力伝達用ワイヤー２を通す際は雰囲気温度変化に強い機械油を動力伝達用ワイヤー２と動力伝達用ワイヤーケース１０の間に塗布する事が望ましい。
【００２１】
この考案の一実施形態を示す詳細図を図７に示す。動力伝達用ワイヤー２の動力伝達用ワイヤー試験槽内部用先端１２である。この部分は環境槽内試験部押板１１（この図には図示されていない）に貫通して開いている動力伝達用ワイヤー２の通し穴より大きい。また環境槽内試験部押板１１（この図には図示されていない）の穴の径は動力伝達用ワイヤーケース１０より小さく、動力伝達用ワイヤー２より大きくなければならない。すなわち環境槽内試験部押板１１（この図には図示されていない）の穴には動力伝達用ワイヤー２のみ挿入される事となる。
【産業上の利用可能性】
【００２２】
本考案は、プッシュスイッチ、プッシュボタンスイッチを製造する産業で利用される。
「他の実施形態」
【００２３】
動力伝達用ワイヤー試験槽内部用先端１２とラックアンドピニオンギアならびに戻しバネを組み合わせる事によって動力伝達用ワイヤー２の引き運動を運動方向の直角方向に偏向させて稼働する耐久試験機を実現できる。
【図１】
0003161993.tif 000003
【図２】
0003161993.tif 000004
【図３】
0003161993.tif 000005
【図４】
0003161993.tif 000006
【図５】
0003161993.tif 000007
【図６】
0003161993.tif 000008
【図７】
0003161993.tif 000009
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
モーターを駆動部に持つプッシュスイッチ耐久試験機本体駆動部５と、引き戻しバネ3による一方向への駆動源をもつ環境槽内用プッシュスイッチ耐久試験部本体１とで構成されており、プッシュスイッチ耐久試験機本体駆動部５のモーターはその試験治具に設置された被験プッシュスイッチの開閉方向に対してモーターの回転方向が平行になるように設置され、そのモーターの軸に接続された回転盤を介してつながる駆動押板ロッド部8に接続された環境槽外試験部押板下部に設けたワイヤー接続部、もしくは駆動部押板ロッド部8の最後尾に、曲げ自由度が高く被覆ケーシングされたワイヤーの一端を直接に接続、試験治具に設置された被験プッシュスイッチ開閉方向に対して垂直方向にある、プッシュスイッチ耐久試験機本体駆動部５筐体底面の辺縁に設置した、ワイヤー通し４に設けられた被験プッシュスイッチ開閉方向に平行に開けた穴に、前記の接続された被覆ケーシングされたワイヤーを被験プッシュスイッチの開閉方向と一直線になるように通し、環境槽６側面を貫通した穴に対してフタをする環境槽外部口密閉蓋７に対しても前記ワイヤーを被覆ケーシングごと貫通し、環境槽６内部に収まるサイズに制作された環境槽内用プッシュスイッチ耐久試験部本体１の被験プッシュスイッチ設置用試験部製品支え中１４に設けられた穴に被覆ケーシングごと貫通させ、貫通した穴より一直線上に存在するように設置された環境槽内用プッシュスイッチ耐久試験部本体１の製品押板下部のワイヤー接続穴に環境槽内部用先端を接続し、環境槽内用プッシュスイッチ耐久試験部本体１試験部の駆動源として接続される引き戻しバネ３の一端は、前記のワイヤーが接続された環境槽内用プッシュスイッチ耐久試験部本体１の製品押板下部のワイヤー接続面とは反対面に接続、その引き戻しバネ３のもう一端は固定されている環境槽内用試験部押板支え中１５に、ワイヤーの駆動方向と平行になるように接続した、前記構成によるプッシュスイッチ耐久試験機本体駆動部５（環境槽外用試験部）と環境槽内用プッシュスイッチ耐久試験部本体１（環境槽内試験部）を具備した環境槽用プッシュスイッチ開閉試験機。